(57)【特許請求の範囲】
【請求項１】
共有アクセスシステムの制御権を付与する方法であって、
ユーザのアイデンティティを得るステップ、
前記ユーザと関連付けられる優先度レーティングを得るステップであって、前記優先度レーティングは前記ユーザの１又はそれ以上の観測アクティビティに応じて更新され、前記１又はそれ以上の観測アクティビティは前記共有アクセスシステムにリンクされる、ステップ、
前記優先度レーティングを閾値と比較するステップ、及び
前記優先度レーティングが前記閾値を超える場合、前記共有アクセスシステムの少なくとも一部の制御権を前記ユーザに付与するステップ、
を含むことを特徴とする方法。
【請求項２】
前記閾値は、他のユーザと関連付けられる優先度レーティングを有する、又は他のユーザと関連付けられる優先度レーティングから獲得される、請求項１記載の方法。
【請求項３】
前記１又はそれ以上の観測アクティビティは、前記共有アクセスシステムと関連付けられる所定のエリアに存在していることを含む、請求項１又は２記載の方法。
【請求項４】
前記ユーザと関連付けられるユーザデバイスが前記共有アクセスシステムと関連付けられる前記所定のエリアに存在しているという指示を得るステップ、及び
前記指示を得ることに応じて、前記ユーザと関連付けられる前記優先度レーティングを更新するステップ
を含む、請求項３記載の方法。
【請求項５】
前記１又はそれ以上の観測アクティビティは、前記共有アクセスシステムに及び/又は前記共有アクセスシステム若しくはその一部が位置する環境にリンクされる一度又はそれ以上の購買を行うことを含む、請求項１乃至４の何れか一項記載の方法。
【請求項６】
前記共有アクセスシステムにリンクされる購買が行われたという指示及び該購買が前記ユーザにリンクされるアカウントと関連付けられるという指示を得るステップ、及び
この指示を得ることに応じて、前記ユーザと関連付けられる前記優先度レーティングを更新するステップ
を含む、請求項５記載の方法。
【請求項７】
前記１又はそれ以上の観測アクティビティは、前記ユーザがインターネットベースのネットワーキングサイトで前記共有アクセスシステムと関連付けられることを含む、請求項１乃至６の何れか一項記載の方法。
【請求項８】
前記優先度レーティングが前記閾値を超える場合、他のすべてのユーザを除いて、前記共有アクセスシステムの少なくとも一部の制御権を前記ユーザに付与するステップを含むことを特徴とする請求項１乃至７の何れか一項記載の方法。
【請求項９】
前記共有アクセスシステムの少なくとも一部の制御権を前記ユーザに付与するステップは、前記ユーザと関連付けられる所定の設定に従って前記共有アクセスシステムの前記少なくとも一部を自動的に制御することを含む、請求項１乃至８の何れか一項記載の方法。
【請求項１０】
前記共有アクセスシステムの少なくとも一部の制御権を前記ユーザに付与するステップは、前記ユーザが、前記共有アクセスシステムの前記少なくとも一部を制御するための１又はそれ以上の設定を行えるようにすることを含む、請求項１乃至９の何れか一項記載の方法。
【請求項１１】
前記共有アクセスシステムは１又はそれ以上の照明ユニットを有し、前記共有アクセスシステムの少なくとも一部の制御権を付与するステップは、前記１又はそれ以上の照明ユニットのうちの少なくとも１つの照明ユニットの制御権を付与することを含む、請求項１乃至１０の何れか一項記載の方法。
【請求項１２】
前記設定は、調光レベル、色及びイルミネーションパターンのうちの少なくとも１つを示している、請求項９又１０に従属する請求項１１記載の方法。
【請求項１３】
コンピュータが解釈可能な命令を有するコンピュータプログラムであって、コンピューティングデバイスの処理回路によって実行された場合、該コンピューティングデバイスに請求項１乃至１２の何れか一項記載の方法を実行させることを特徴とするコンピュータプログラム。
【請求項１４】
共有アクセスシステムの制御権を付与するためのコンピューティングデバイスであって、
前記共有アクセスシステムと通信し、該共有アクセスシステム外から１又はそれ以上の入力を受ける通信サブシステム、
請求項１３記載のコンピュータプログラムが記憶されるメモリ、及び
前記通信サブシステム及び前記メモリに接続される処理回路であって、前記コンピュータプログラムのコンピュータが解釈可能な命令を実行することにより、請求項１乃至１２の何れか一項記載の方法を実行するよう構成される処理回路、
を有することを特徴とするコンピューティングデバイス。
【請求項１５】
１又はそれ以上の照明ユニット及び請求項１４記載のコンピューティングデバイスを有する照明システムであって、前記コンピューティングデバイスは、前記照明ユニットの制御権を付与するため該照明ユニットに接続されることを特徴とする照明システム。
【発明の詳細な説明】
【技術分野】
【０００１】
本発明は、照明システム等の共有アクセスシステムの制御(control)に関し、とりわけ、共有アクセスシステムの制御権を付与する方法及び装置に関する。
【背景技術】
【０００２】
多数のユーザにより制御され得る、照明システム等の多くのシステムがある。従来の照明システムにおいては、例えば、照明システムを制御するためどのユーザも自由に操作できる単一のコントローラがあるかもしれない。例えば、ユーザは、照明システム内の１又はそれ以上の光源について所望の調光レベルを設定するため上記コントローラを操作するかもしれない。
【０００３】
米国特許出願第US 2003/0227439 A1号は、家庭用照明システムに関連付けられるユーザの記憶された"好み(preference)"、例えば、好みの調光レベル、好みの照明の色及び／又は好みのイルミネーションパターンに基づいて該家庭用照明システムを制御する方法を提案している。前記方法は、家に取り付けられたカメラで捉えられた画像データを受信及び処理し、該画像データ内のユーザを特定することを伴う。システムは、ユーザのうちの１人を特定することに対し、該特定されたユーザの１又はそれ以上の好みを自動的に実行することにより応答するよう構成される。この特許出願は、どのユーザの好みを適用すべきかはっきりしない場合、例えば、システムが同時に同位置(location)で２又はそれ以上のユーザを特定する場合どのようにシステムが応答すべきかを判断するため予め設定された優先規則(priority rules)を用いることを提案している。例えば、子供の好みではなく、親の好みが、照明システムを設定するように用いられるかもしれない。
【０００４】
将来の照明システムは、所定のユーザの好みを自動的に適用するため及び／又は手動制御権をユーザに付与するためユーザの携帯用のコンピューティングデバイスを介して、例えば、スマートフォンを介して制御可能であるかもしれない。これは、例えば、公共の照明システムにおいて問題になるかもしれない。複数のユーザが、自身のスマートフォンを介して照明システムを制御するため相反する試みをなすかもしれないからである。予め設定された優先規則を用いることは、変更した優先度を反映させるためオンゴーイングの手動による優先規則の再設定を潜在的に必要とすることに起因して、ある公共の照明システムにおいてはこの問題に対して不都合なソリューションである可能性が高い。例えば混雑しているカフェ又は学生ラウンジにおける、かなり多くのユーザを持ち得る照明システムにおいては、予め設定された優先規則に基づくソリューションは実行不可能であるかもしれない。
【０００５】
この問題は、公共の照明システムに限定されず、原理上は、ほとんどどの共有アクセスシステムにも関連し得る。どのユーザが斯かるシステムを制御し得るべきか及びどのような状況下にあるかを判断することに関わる重要な技術的課題がある。
【発明の概要】
【発明が解決しようとする課題】
【０００６】
本発明の目的は、潜在的に小さなシステムでもかなり大きなシステムでも同様に利用されることができ、オンゴーイングの手動による再設定を必要としない、照明システム等の共有アクセスシステムの制御権を付与する方法を提供することにある。
【課題を解決するための手段】
【０００７】
本発明の第１の態様は、請求項１に記載される、共有アクセスシステムの少なくとも一部の制御権を付与する方法を提供することにある。前記少なくとも一部は、共有アクセスシステムのサブシステム又はサブネットワークであってもよい。例えば、共有アクセスシステムは、様々なコーヒーショップに設置される照明システムのネットワークであってもよい。ここで、各照明システムは、ネットワークの一部である。
【０００８】
一実施例において、この方法を実行するコントローラは、ユーザのアクティビティに関する経験的データ(empirical data)に基づいて、ユーザが共有アクセスシステムを制御することを許可するため動的に適用される基準(criteria)を利用する。斯くして、コントローラは、所与の状況においてどのユーザが共有アクセスシステムを制御することを許可されるべきか判断するための規則を備えるよう予めプログラムされる必要がない。これらは、観測(observation)によって"学ばれる(learned)"。特許請求の範囲に記載の方法の実施例は、小さなシステムでもかなり大きなシステムでも同様に利用され得ることが理解されるであろう。
【０００９】
本方法によれば、各ユーザは、共有アクセスシステム又はその一部との"関連の強さ(strength of association)"を持つことが想定されている。例えば、共有アクセスシステムが、環境を照射するよう配設される１又はそれ以上の照明ユニットを有する実施例において、該環境に最も頻繁に存在するユーザが、共有アクセスシステムとの"最も強い関連"を持つものと見なされてもよい。
【００１０】
共有アクセスシステムの制御権が付与されるためユーザの優先度レーティング(priority rating)が越えなければならない閾値は、他のユーザの優先度レーティングに基づいてもよい。斯くして、例えば、２人のユーザが共有アクセスシステムを制御するため相反する試みをなす場合、コントローラは、共有アクセスシステムに対して"より強い関連"（すなわち、より高い優先度レーティング）を持つユーザに制御権を付与し、他のユーザへの制御権を拒否するであろう。閾値は、最低限の優先度レーティングを必要としてもよい。この最低限の優先度レーティングを下回る場合、当該ユーザの優先度レーティングが共有アクセスシステムを制御することを欲するすべてのユーザの中で最高であったとしても（又は該ユーザが共有アクセスシステムを制御することを欲する唯一のユーザであったとしても）、該ユーザに共有アクセスシステムの制御権は付与されないであろう。
【００１１】
当業者は、本方法に準拠したユーザの非常に多くの観測アクティビティ(observed activity)を理解するであろう。共有アクセスシステムと関連付けられる所定のエリアに存在することが、斯かるアクティビティの一つである。例えば、ユーザが特定のコーヒーショップによく訪れる（すなわち、該コーヒーショップによく存在する）場合、これによって、該ユーザは、該コーヒーショップの共有アクセスシステム、例えば、照明システム及び/又はオーディオシステムとの"関連の強さ"を高めてもよい。さらには、上記所定のエリアの優先付けられた部分、例えば、上記コーヒーショップのメンバオンリのエリアがあってもよく、このエリアは、該所定のエリアの優先付けられていない部分に存在するのと比較して一層ユーザの優先度レーティングを高めるようにしてもよい。
【００１２】
適切な観測アクティビティの他のタイプは、共有アクセスシステムにリンクされる一度又はそれ以上の購買をなすことである。コーヒーショップの例に戻ると、ユーザは、コーヒーショップに訪れるたびに１つのコーヒーを購入することにより、又はたくさんのコーヒーを購入することにより自身の優先度レーティングを高めてもよい。斯くして、最も多くのコーヒーを買うユーザが、当該コーヒーショップの共有アクセスシステムとの"最も高い関連"を持つようにしてもよい。購買は、共有アクセスシステムに間接的にリンクされてもよい。例えば、ユーザは、共有アクセスシステムが設置されているコーヒーショップと何らかの形で提携されている店で商品を購入することにより自身の優先度レーティングを高めてもよい。
【００１３】
ユーザの１又はそれ以上の観測アクティビティは、共有アクセスシステムに間接的にリンクされてもよく、及び/又は共有アクセスシステムの一部だけにリンクされてもよい。例えば、インターネットベースのネットワーキングサイト等で共有アクセスシステム及び/又はその所有者と関連付けられることが、本方法に準拠するユーザの観測アクティビティの一例である。再びコーヒーショップの例に戻ると、ユーザは、Twitterでコーヒーショップを"フォロー"し、これにより、該コーヒーショップの共有アクセスシステムとの"関連の強さ"を高めてもよい。同様に、ユーザは、Facebookでコーヒーショップ（及び/又はその経営者）の"友達"になってもよく、コーヒーショップ（及び/又はその経営者）のLinkedIn"つながり"になってもよい。
【００１４】
共有アクセスシステムとのユーザのインタラクション自体が、ユーザの優先度レーティングを更新するための関係する"観測アクティビティ"であってもよい。例えば、以下の１又はそれ以上のものが、ユーザの優先度レーティングを更新する場合に考慮されてもよい。
・ユーザが共有アクセスシステムを制御する回数
・ユーザが共有アクセスシステム制御するやり方（例えば、ポータブルデバイスを介して又は共有アクセスシステムの内蔵コントローラを介して）
・ユーザが共有アクセスシステムに適用する設定(setting)
【００１５】
共有アクセスシステムの制御権をユーザに付与するステップは、ユーザと関連付けられる所定の設定に従って共有アクセスシステムを自動的に制御することを含んでもよい。コーヒーショップの例では、これは、好みのイルミネーション効果をもたらすよう１又はそれ以上の照明ユニットを自動的に設定することを含み、及び/又はオーディオシステムをユーザのお気に入りのプレイリストに自動的に切り換えることを含む。
【００１６】
共有アクセスシステムの制御権をユーザに付与するステップは、ユーザが、共有アクセスシステムを制御するための１又はそれ以上の設定を行えるようにすることを含む。コーヒーショップの例では、共有アクセスシステムのコントローラが、ユーザと関連付けられるデバイス（例えば、スマートフォン又はタブレットコンピュータ）と通信してもよく、これにより、該デバイスは、ユーザが共有アクセスシステム、例えば、オーディオシステム及び/又は照明システムを制御するためのユーザインタフェースを提示するであろう。
【００１７】
本発明のこれら及び他の態様は、以下に記載の実施例を参照して明らかになり、詳述されるであろう。
【図面の簡単な説明】
【００１８】
【図１】本発明の実施例による、照明システム及び該照明システムと通信するユーザ機器の図である。
【図２】図１のユーザ機器をより詳細に示す図である。
【図３】ユーザ機器に照明システムのアクセス権を付与するプロセス中の、図１のユーザ機器、システムコントローラ及びリモートサーバ間のインタラクションを示す図である。
【図４】図１のシステムコントローラをより詳細に示す図である。
【図５】図１のリモートサーバをより詳細に示す図である。
【図６】本発明の一実施例による、ユーザ機器のユーザに関連付けられる優先度レーティングを動的に更新するため、図１及び図５のリモートサーバにより実行されるステップを示すフローチャートである。
【図７】本発明の一実施例による、図１及び２のユーザ機器のスクリーンに提示される、ユーザが照明システムに好みの設定を指示することを可能にするユーザインタフェースの図である。
【発明を実施するための形態】
【００１９】
本発明の一実施例において、概略として、図１を参照すると、照明システム１００は、複数の照明器具１０５、システムコントローラ１０７及び無線アクセスポイント１１５（以下、"ＷＡＰ１１５"と称する）を有する。照明システム１００は、１又はそれ以上の内部及び／又は外部ネットワーク１２５を介してリモートサーバ１３０に接続される。
【００２０】
各照明器具１０５は、１又はそれ以上のＬＥＤベースの光源を有し、一般には下方に光を放つように配置される天井取付照明器具の一部である。照明器具１０５は、この実施例においてはイーサネットケーブルを有する、有線チャネル１２０を介してＷＡＰ１１５に接続される。
【００２１】
システムコントローラ１０７は、有線チャネル１２０を介してＷＡＰ１１５に接続され、すべての照明器具１０５と通信するよう構成される。システムコントローラ１０７は、これらの照明器具１０５を個別に、２又はそれ以上の照明器具からなるグループで、又はすべてを一度に制御するのに適している。
【００２２】
図１に示されるように、本発明の一実施例によれば、照明システム１００と通信することが可能である、１又はそれ以上のユーザ機器１１０のインスタンスが照明システム１００の近辺にあってもよい。ユーザ機器１１０は、この実施例においてはＷｉＦｉチャネルである、無線チャネル１３５を介してＷＡＰ１１５と通信することが可能である。斯くして、ユーザ機器１１０は、例えば照明システムの制御をリクエストするため、システムコントローラ１０７と通信することができる。
【００２３】
図２に示されるように、（例えばスマートフォン又はタブレットコンピュータであってもよい）ユーザ機器１１０は、処理回路２００を有する。処理回路２００は、タッチ感応ディスプレイ２０５及び複数のセンサに通信的に結合される。複数のセンサは、１又はそれ以上のジャイロスコープ２１０、１又はそれ以上の周辺光(ambient light)センサ２１５、１又はそれ以上の加速度計２２０（この実施例では３軸加速度計を含む）、１又はそれ以上の磁力計（図示せず）、１又はそれ以上のイメージセンサ２２５（この実施例では集積化されたＣＣＤカメラを含む）及び１又はそれ以上の近接センサ２３０を有する。処理回路２００はまた、ＲＦ(radiofrequency)回路２４５にも通信的に結合される。ＲＦ回路２４５は、無線チャネル１３５を介した無線通信を可能にし、ＧＰＳサブシステム２５０を含む。
【００２４】
ユーザ機器１１０はさらに、メモリ２３５を有する。メモリ２３５は、処理回路２００に通信的に結合される。メモリ２３５は、多くの従来のファイル及びアプリケーションに加え、照明制御アプリケーション２４０（以下、"ユーザアプリ(user app)"を便宜上用いるが、記述的表示(descriptive label)として解釈されるべきではない）を有する。
【００２５】
処理回路２００により実行されると、ユーザアプリ２４０は、システムコントローラ１０７を介して、１又はそれ以上の照明器具１０５を制御する方法をユーザ機器１１０に実行させる。
【００２６】
ユーザアプリ２４０が起動されると、ユーザ機器１１０は、無線チャネル１３５を介し、従来の探索方法(discovery method)を用いて照明器具１０５のアイデンティティ(identity)を得る。
【００２７】
ここで図３を参照すると、照明器具１０５を特定することに応答して、ユーザ機器１１０は、制御リクエスト３０５をシステムコントローラ１０７に送る。制御リクエスト３０５は、ユーザ機器１１０のユーザのアイデンティティを有する。ユーザのアイデンティティは、例えば、（該ユーザの登録プロパティ(registered property)と仮定される）ユーザ機器１１０のＭＡＣアドレスであってもよい。
【００２８】
手短に図４を参照すると、システムコントローラ１０７は、通信回路４１５に接続される処理回路４００を有する。通信回路４１５により、システムコントローラ１０７は、ユーザ機器１１０から制御リクエスト３０５を受ける。システムコントローラ１０７はさらに、処理回路４００に通信的に結合されるメモリ４０５を有する。メモリ４０５は、多くの従来のファイル及びアプリケーションに加え、照明制御アプリケーション４１０（以下、"コントローラアプリ(controller app)"を便宜上用いるが、記述的表示として解釈されるべきではない）を有する。コントローラアプリ４１０を実行すると、システムコントローラ１０７は、以下詳細に述べられるように、ユーザ機器１１０から受けた１又はそれ以上の制御リクエストに依存して照明器具１０５を制御するよう構成される。
【００２９】
再び図３を参照すると、ユーザ機器１１０から制御リクエストを受けることに応答して、システムコントローラ１０７は、リモートサーバ１３０に優先度レーティングリクエスト３１０を送る。優先度レーティングリクエスト３１０は、システムコントローラ１０７が制御リクエスト３０５から得た、ユーザのアイデンティティを有する。
【００３０】
手短に図５を参照すると、リモートサーバ１３０は、通信回路５２０に結合される処理回路５００を有する。通信回路５２０により、リモートサーバ１３０は、システムコントローラ１０７から優先度レーティングリクエスト３１０を受ける。リモートサーバ１３０はさらに、処理回路５００に通信的に接続されるメモリ５０５を有する。メモリ５０５は、多くの従来のファイル及びアプリケーションに加え、照明制御アプリケーション５１５（以下、"サーバアプリ(server app)"を便宜上用いるが、記述的表示として解釈されるべきではない）及びユーザ及びユーザ各々の"優先度レーティング"のデータベース５１０を有する。サーバアプリ５１５を実行すると、リモートサーバ１３０は、以下詳細に述べられるように、データベース５１０を動的に更新するよう構成される。
【００３１】
再び図３を参照すると、システムコントローラ１０７から優先度レーティングリクエスト３１０を受けることに応答して、リモートサーバ１３０は、データベース５１０内の当該ユーザに関連付けられる優先度レーティングを更新する。（リモートサーバ１３０は、優先度レーティングリクエスト３１０からユーザのアイデンティティを得る。）リモートサーバ１３０は、当該ユーザが既存でない場合、当該ユーザのため優先度レーティングを含むデータベースエントリを作成するよう構成される。以下、"既存優先度レーティング"への言及は、このような新規に作成された優先度レーティングを含むよう解釈されるべきである。
【００３２】
図６に示されるように、リモートサーバ１３０は、ユーザにリンクされる観測アクティビティを判別し、応答するよう構成される（ステップＳ１００）。優先度レーティングリクエスト３１０を受けることにより、リモートサーバ１３０は、ユーザが照明システム１００と関連付けられる所定のエリアに来た、それゆえ、該エリアに存在しているという指示(indication)を得る。リモートサーバ１３０は、これを当該ユーザにリンクされる観測アクティビティとして扱い、それに応じて、更新するために当該ユーザに関連付けられる既存優先度レーティングをデータベース５１０から取り出す（又はその他適切な方法によって受け取る）よう進んでいく（ステップＳ１０５）。
【００３３】
次いで、リモートサーバ１３０は、前記観測アクティビティに基づいて前記既存優先度レーティングを更新する（ステップＳ１１０）。この更新は、前記既存優先度レーティングを単にインクリメントすることを伴ってもよく、又はどのタイプのアクティビティが観測されるかに基づいてスライディングスケール(sliding scale)で前記既存優先度レーティングを上げることを伴ってもよい。例えば、ユーザが優先付けられた時刻、例えば、８時前に照明システム１００と関連付けられる前記所定のエリアに存在する場合、前記既存優先度レーティングは、該ユーザが他の時刻にいたであろう場合より増加されてもよい。これは、早く来るインセンティブとして働くかもしれない。他の例として、ユーザが前記所定のエリアの優先付けられた部分、例えば、オフィスビルの特定のオフィスに存在する場合、前記既存優先度レーティングは、該ユーザが該オフィスビルの別の部分にいたであろう場合より増加されてもよい。
【００３４】
次いで、リモートサーバ１３０は、更新された優先度レーティングをメモリに記憶し（ステップＳ１１５）、優先度レーティングリクエスト３１０に対するリプライとしてシステムコントローラ１０７に更新された優先度レーティング３２０を送る（ステップＳ１１５）。
【００３５】
再び図３を参照すると、リモートサーバ１３０から更新された優先度レーティング３１５を受けることに応答して、システムコントローラ１０７は、更新された優先度レーティング３１５を閾値と比較する。この実施例において、閾値は、他のユーザと関連付けられる優先度レーティングである。この他のユーザと関連付けられる優先度レーティングは、上述した方法と同様に、例えば、他のユーザがシステムコントローラ１０７に制御リクエストを送ることに応答して獲得されていてもよい。
【００３６】
更新された優先度レーティング３１５が閾値を超える場合、システムコント１０７は、当該制御リクエスト３０５に対するリプライとしてユーザ機器１１０に付与−制御権メッセージ(grant-control message)３２０を送る。付与−制御権メッセージ３２０は、どの照明器具１０５を制御できるか及びどの程度までであるかを示す、"権限リスト(list of privileges)"を有する。例えば、ユーザは、照明器具１０５のサブセットだけ及びそれらの調光レベルだけ制御することが許可されるかもしれない。
【００３７】
付与−制御権メッセージ３２０を受信することに応答して、ユーザ機器１１０は、自身のディスプレイ２０５上に、図7に示されるような照明器具１０５を制御するためのユーザインタフェース７００を提示する。
【００３８】
ユーザインタフェース７００は、この実施例においては各照明器具１０５のためのアイコン（図７において照明バルブアイコンとして示されている）を有する、照明器具１０５の表現(representation)７１５を有する。前記権限リストが、当該ユーザはいくつかの照明器具を制御することが許可されないことを示す場合、このことをユーザに伝えるよう対応するアイコンが表示される。例えば、これらのアイコンは"グレー表示"されてもよい。
【００３９】
ここで、当該ユーザは、制御する１つの照明器具１０５を、当該照明器具１０５に対応する表現７１５が示されているディスプレイ２０５の部分をタッチすることにより選択することができる。このユーザ選択に応答して、ユーザインタフェース７００は、どの照明器具１０５が選択されているかについての指示７２０を示す。この実施例において、指示７２０は、図７において前記選択された１つの照明器具１０５に対応するアイコン７１５を円で囲む破線として示されている、オーバレイアイコン(icon overlay)である。
【００４０】
ユーザインタフェース７００はまた、前記選択された照明器具１０５の１又はそれ以上の照明設定(light setting)を調整することができる制御オブジェクト７２５も有する。この実施例において、制御オブジェクト７２５は、当該ユーザが所望の照明設定を指示するため"ドラッグ"することができる、スライダ７３０を有する。図７に示されるように、スライダ７３０の位置は、前記選択された照明器具１０５の現在の調光レベルを表し、前記選択された１つの照明器具１０５を減光するため"Ｌｏ"に向けて又は明るくするため"Ｈｉ"に向けてドラッグされることができる。
【００４１】
ユーザが１又はそれ以上の照明器具のための所望の照明設定をユーザインタフェース７００を介して指示することに応答して、ユーザ機器１１０は、制御メッセージをシステムコントローラ１０７に送る。この制御メッセージは、当該１又はそれ以上の照明器具及び該照明器具各々のための所望の照明設定を特定する。
【００４２】
当該ユーザ機器１１０に照明システム１００の制御権を付与したシステムコントローラ１０７は、前記制御メッセージを解釈し、適切な制御信号を該当する照明器具に供給する。
【００４３】
代替例
本発明の一実施例が図面及び上述の記載において詳述されたが、これらの図面及び記載は、例示としてみなされるべきであり、限定的なものではない。本発明は、開示された実施例に限定されない。
【００４４】
例えば、上述したユーザ機器は、スマートフォン又はタブレットコンピュータであってもよいが、他の例においては、その他適切なユーザデバイスであってもよい。例えば、適切なユーザデバイスは、ラップトップコンピュータ、ポータブルＤＶＤプレーヤ、ポータブルオーディオプレーヤ、その他同様のものであってもよい。
【００４５】
様々な実施例において、ユーザのアイデンティティは、他の手段により代替的に／付加的に獲得されてもよい。例えば、ユーザは、照明システム又は他の共有アクセスシステムを制御するのに適した壁取付制御パネルに識別子(例えば、ユーザネーム、ユーザＩＤ及び/又はパスワード）を入力してもよい。ユーザは、自身のＩＤカード又は他の近距離無線通信（ＮＦＣ）デバイスをリーダに"通し／かざし(swipe)"、これにより、ユーザのアイデンティティが獲得されてもよい。
【００４６】
様々な実施例において、ユーザ機器は、システムコントローラを介してではなく、リモートサーバと直接（例えばセルラリンクを通じて）通信してもよい。この場合、リモートサーバは、次いでシステムコントローラと通信してもよく、ましては照明器具がネットワークコネクティビティを持つなら照明器具自体と通信してもよい。
【００４７】
様々な実施例において、リモートサーバの上述した機能（例えば、ユーザに関連付けられる優先度レーティングの更新）及びシステムコントローラの上述した機能（例えば、優先度レーティングと閾値の比較）は、単一のコンピュータ装置に統合される。斯くして、コンピュータ装置は、ユーザに関連付けられる優先度レーティングを、リモートサーバ等の別個のコンピュータ装置から受けるのではなく、内部処理を経て得るよう構成される。コンピュータ装置は、照明システム若しくは他の共有アクセスシステムの一部であってもよく、又は"クラウド内"、すなわち、照明システム又は他の共有アクセスシステムが接続可能な外部ネットワークの一部であってもよい。一実施例において、コンピュータ装置は、ユーザ機器であるか、又はユーザ機器の一部である。
【００４８】
様々な実施例において、システムコントローラは、"調停(arbitration)"を行ってもよい。これにより、照明システム又は他の共有アクセスシステムの制御権を付与することは、ユーザ機器が直接照明システムを制御する許可を与えることを必要とする。代替的には、上記で詳細に述べたように、ユーザに制御権を付与することは、ユーザが間接的に照明システム又は他の共有アクセスシステムを制御する許可を与えることを意味してもよい。例えば、システムコントローラが、ユーザ機器から受け取った又はシステムコントローラがアクセス可能なメモリに記憶されたユーザの好みの設定に依存して、照明システムを制御するであろう。
【００４９】
様々な実施例において、ユーザの優先度レーティングと比較される閾値は、他のユーザと関連付けられる優先度レーティングから、又は他の複数のユーザと関連付けられる優先度レーティングから獲得される。例えば、閾値は、より多くの又はより少ないユーザがシステムを制御する許可を与えるためシステムアドミニストレータが手動による（恐らくは一時的な）変更をもたらす等の要因に依存して上方又は下方にバイアスされる、他のユーザの優先度レーティングの重み付けられたバージョンを有してもよい。閾値は、特定のユーザのグループ又はクラス等の他の複数のユーザの優先度レーティングの算術平均、中央値若しくは最頻値（又はその他適切な代表値）を有してもよい。この場合、閾値は、これらユーザの優先度レーティングの全体的な増加に応じて増加すべきである。
【００５０】
様々な実施例において、ユーザと関連付けられる優先度レーティングの更新は、ユーザの１又はそれ以上の観測アクティビティの指示を得ることに応じて動的に行われる。例えば、ユーザ機器は、自身の位置を判断するため自身のＧＰＳサブシステムを用い、該位置を適切な手段を介してシステムコントローラに通信するよう構成されてもよく、斯くして、システムコントローラは、更新のトリガとなり得る、ユーザ機器が照明システム又は他の共有アクセスシステムと関連付けられる所定のエリアに存在しているという指示を得てもよい。
【００５１】
様々な実施例において、１又はそれ以上の観測アクティビティは、共有アクセスシステムにリンクされる一度又はそれ以上の購買又は他の金融取引を行うことを有する。例えば、ユーザは、例えば（恐らくはＮＦＣが利用可能なユーザデバイスを用いて）ホテルの受付で又はインターネットを介して、一晩のホテルの部屋を予約及び支払いを行い、これにより、ユーザの優先度レーティングが、該部屋における照明システム又は他の共有アクセスシステムについて更新されてもよい。斯くして、共有アクセスシステムにリンクされる購買がなされたという指示及び該購買はユーザにリンクされるアカウントと関連付けられるという指示が、部屋の予約に係る支払いを処理したシステムから得られる。
【００５２】
様々な実施例において、ユーザの優先度レーティングは、該ユーザのコンタクト／コネクションからの（重み付けられた）貢献を持つこともできる。ユーザは、共有アクセスシステムと関連付けられる位置への間接的なコネクションを持つ、例えば、該位置への直接的なコネクションを持つ誰かを介して接続されてもよく、この場合、この直接接続される人の優先度レーティングに基づく重み付けが適用されてもよい。
【００５３】
様々な実施例において、ユーザは、複数の優先度レベルを持ってもよく、これにより、共有アクセスシステムの制御権が、異なるユーザが共有アクセスシステムの異なる面を制御するよう、２人以上のユーザに同時に付与されてもよい。例えば、照明システムにおいて、数人のユーザの各々が、異なる照明器具を制御できるようにしてもよく、又はあるユーザは放射光の色を制御でき、異なるユーザは放射光の輝度を制御できるようにしてもよい。
【００５４】
様々な実施例において、ユーザは、共有アクセスシステムの異なる部分／区域／サブシステムに対して異なる優先度レベルを持ってもよい。例えば、ホテルの照明システムにおいて、ホテルの客が、ホテルのロビーでは、自身のホテルの部屋よりも低い優先度レーティングを持ってもよい。
【００５５】
様々な実施例において、照明器具は、あるフォームファクタ、アセンブリ又はパッケージにおける１又はそれ以上の照明ユニットの適切な構造(arrangement)であってもよい。所与の照明ユニットは、（上述したように）同一の又は異なるタイプの１又はそれ以上の光源を含んでもよく、様々な光源のための取付構造、エンクロージャ／ハウジング構造及び形状、並びに／又は電気的及び機械的な接続構成の任意のものを持ってもよい。付加的に、所与の照明ユニットは、光源の動作に関するその他様々なコンポーネント（例えば、制御回路）と関連付けられてもよい（例えば、該コンポーネントを含んでもよく、該コンポーネントに結合されてもよく、及び／又は該コンポーネントと一緒にパッケージ化されてもよい）。
【００５６】
様々な実施例において、上述したＩＰが利用可能な照明器具は、他のアドレス可能な照明器具、例えば、ＤＡＬＩ及び/又はＤＭＸ制御される照明器具により置換又は補完されてもよい。いくつかの実施例は、アドレス可能ではない照明器具を有してもよい。
【００５７】
様々な実施例において、光源は、潜在的に、ＬＥＤに基づく光源、白熱光源（例えば、フィラメントランプ、ハロゲンランプ）、蛍光光源、リン光光源、高輝度放電光源（例えばナトリウム蒸気、水銀蒸気及びメタルハライドランプ）、レーザ、他のタイプのエレクトロルミネセント光源、キャンドルルミネセント光源（例えばガスマントル、カーボンアーク放射線源）、フォトルミネセント光源（例えばガス放電光源）、電子飽和を使用したカソードルミネセント光源、ガルバノルミネセント光源、結晶ルミネセント光源、キネルミネセント光源、サーモルミネセント光源、トライボルミネセント光源、ソノルミネセント光源、ラジオルミネセント光源及びルミネセントポリマ等の適切な光源を有することができるであろう。
【００５８】
様々な実施例において、ユーザ機器内、システムコントローラ内及びリモートサーバ内のメモリは、ＲＡＭ、ＰＲＯＭ、ＥＰＲＯＭ及びＥＥＰＲＯＭ等の揮発性及び不揮発性のコンピュータメモリ、フロッピー（登録商標）ディスク、コンパクトディスク、光ディスク、磁気テープのうちの１又はそれ以上等の適切な記憶媒体であってもよい。様々な記憶媒体は、プロセッサ及び／若しくはコントローラ内に固定されてもよく、又は、それに記憶されている１又はそれ以上のプログラムがここで論じられる本発明の様々な態様を実施するようプロセッサ若しくはコントローラにロードされ得るように、可搬型であってもよい。用語「プログラム」又は「コンピュータプログラム」は、ここでは、一般的に、１又はそれ以上のプロセッサ又はコントローラをプログラムするために用いられるあらゆる種類のコンピュータコード（例えば、ソフトウェア又はマイクロコード）に言及するために使用される。
【００５９】
開示された実施例に対する他のバリエーションが、図面、開示及び添付の特許請求の範囲の研究から、特許請求の範囲の発明を実践する業界の当業者によって理解され、実施され得るであろう。
【００６０】
請求項において、"有する"という用語は他の要素又はステップを除外するものではなく、単数表記は複数を除外するものではない。
【００６１】
単一のプロセッサ又は他のユニットが請求項に記載された幾つかのアイテムの機能を実現してもよい。特定の手段が相互に異なる従属請求項に記載されるという単なる事実は、これらの手段の組み合わせが有効に用いられ得ないことを示すものではない。
【００６２】
コンピュータプログラムは、他のハードウェアと一緒に又は一部として供給される光学記憶媒体又は固体媒体等の適切なコンピュータ読取可能な媒体に記憶／で頒布されてもよいが、インターネット／イントラネットダウンロード等の他のコンピュータプログラムプロダクトを介して又は他の有線若しくは無線電話通信システムを介して頒布されてもよい。
【００６３】
請求項中のいかなる参照符号も、その範囲を限定するものとして解釈されるべきでない。
【図１】
0006263190.tif 000002
【図２】
0006263190.tif 000003
【図３】
0006263190.tif 000004
【図４】
0006263190.tif 000005
【図５】
0006263190.tif 000006
【図６】
0006263190.tif 000007
【図７】
0006263190.tif 000008